(57)【要約】【課題】手すりを設けた場合にも簡単な構造で適切な強度を確保できるライニングユニットを提供する。【解決手段】腰掛け式の大便器の後方に設置して使用されるライニングユニットであって、矩形状の前面部と、矩形状の上面部と、を有するフレーム本体と、前記フレーム本体の前記前面部に設けられ、上下方向に延び、左右方向に並ぶ一対の縦フレームと、前記一対の縦フレームに取り付けられ、前記前面部を覆う前面板と、前記一対の縦フレームに取り付けられ、前記大便器の両側方に位置するように前記フレーム本体の前方に設けられる一対の手すりと、前記一対の縦フレームの間を連結する連結部と、を備えたことを特徴とするライニングユニットである。【選択図】図１
2020036888.tif 000002
【特許請求の範囲】
【請求項１】
腰掛け式の大便器の後方に設置して使用されるライニングユニットであって、
矩形状の前面部と、矩形状の上面部と、を有するフレーム本体と、
前記フレーム本体の前記前面部に設けられ、上下方向に延び、左右方向に並ぶ一対の縦フレームと、
前記一対の縦フレームに取り付けられ、前記前面部を覆う前面板と、
前記一対の縦フレームに取り付けられ、前記大便器の両側方に位置するように前記フレーム本体の前方に設けられる一対の手すりと、
前記一対の縦フレームの間を連結する連結部と、
を備えたことを特徴とするライニングユニット。
【請求項２】
前記一対の手すりは、手すり本体と、前記手すり本体を支持する支持部と、を有し、
前記連結部は、前記一対の手すりの前記支持部の上方かつ前記支持部の前端よりも後方に位置し、前記一対の手すり同士を連結することを特徴とする請求項１記載のライニングユニット。
【請求項３】
前記一対の縦フレームは、前記一対の手すりの一方を取り付けるための手すり取付部と、前記前面板を前記フレーム本体に対して着脱可能に支持する前面板支持部と、を有し、
前記前面板支持部は、前記手すり取付部の側方に設けられることを特徴とする請求項１又は２に記載のライニングユニット。
【請求項４】
前記一対の縦フレームは、前記一対の手すりの一方を取り付けるための取付面を有する手すり取付部を有し、
前記一対の手すりは、前記一対の縦フレームの前記手すり取付部に取り付けられる台座部を有し、
前記台座部の下端は、前記手すり取付部の前記取付面の下端よりも上方に位置することを特徴とする請求項１〜３のいずれか１つに記載のライニングユニット。
【請求項５】
前記一対の縦フレームは、縦フレーム本体と誤組抑制部とを、さらに有し、
前記手すり取付部は、前記縦フレーム本体に取り付けられ、
前記誤組抑制部は、正しい向きにおける前記手すり取付部の前記縦フレーム本体への取り付けを許容し、前記手すり取付部と干渉することによって誤った向きにおける前記手すり取付部の前記縦フレーム本体への取り付けを抑制することを特徴とする請求項３又は４に記載のライニングユニット。
【発明の詳細な説明】
【技術分野】
【０００１】
本発明の態様は、一般的に、ライニングユニットに関する。
【背景技術】
【０００２】
腰掛け式の大便器の近傍に手すりを設置し、使用者の大便器への着座の動作及び大便器からの立上りの動作を補助できるようにすることが行われている（例えば、特許文献１、２）。
【０００３】
手すりには、使用者の体重がかかるため、適切な強度対策を施す必要がある。例えば、手すりを支持する支持体を建築の床面や壁面に固定する場合には、建築の床面や壁面に補強を施さなければならない可能性があり、施工性の低下やコスト増の要因となってしまう。また、支持体が外部に露出している場合、トイレ室の美観を損なわせてしまう可能性もある。さらには、支持体と大便器との間や支持体とタンクとの間などに手の入り難い空間が生じ、清掃性も低下してしまう可能性がある。
【０００４】
例えば、大便器の後方に設置して使用されるライニングユニットに手すりを設けることも行われている。この場合、支持体などをライニングユニットの内部に隠蔽することができ、美観の低下や清掃性の低下などを抑制することができる。
【０００５】
しかしながら、ライニングユニットに手すりを設ける場合においても、強度対策は必要となる。例えば、手すりにかかる荷重を受けるためにフレームに補強を施さなければならず、施工性の低下やコスト増の要因となっている。このように、ライニングユニットに手すりを設ける場合においても、強度対策の面において検討の余地が残されており、簡単な構造で適切な強度を確保できるようにすることが望まれている。
【先行技術文献】
【特許文献】
【０００６】
【特許文献１】特開２０１６−４７２６３号公報
【特許文献２】特開２０１７−１４０２７８号公報
【発明の概要】
【発明が解決しようとする課題】
【０００７】
本発明は、かかる課題の認識に基づいてなされたものであり、手すりを設けた場合にも簡単な構造で適切な強度を確保できるライニングユニットを提供することを目的とする。
【課題を解決するための手段】
【０００８】
第１の発明は、腰掛け式の大便器の後方に設置して使用されるライニングユニットであって、矩形状の前面部と、矩形状の上面部と、を有するフレーム本体と、前記フレーム本体の前記前面部に設けられ、上下方向に延び、左右方向に並ぶ一対の縦フレームと、前記一対の縦フレームに取り付けられ、前記前面部を覆う前面板と、前記一対の縦フレームに取り付けられ、前記大便器の両側方に位置するように前記フレーム本体の前方に設けられる一対の手すりと、前記一対の縦フレームの間を連結する連結部と、を備えたことを特徴とするライニングユニットである。
【０００９】
このライニングユニットによれば、一対の縦フレームの間を連結する連結部を備えたことにより、１つの手すりにかかる荷重を連結部を介して一対の縦フレームに分散させて受けることができる。これにより、１つの手すりにかかる荷重を１つのフレームで受ける場合などと比べて、縦フレームなどの構成を簡単にしつつ、適切な強度を確保することができる。従って、手すりを設けた場合にも簡単な構造で適切な強度を確保できるライニングユニットを提供することができる。また、前面部を覆う前面板を備えているため、美観の低下や清掃性の低下も抑制することができる。
【００１０】
第２の発明は、第１の発明において、前記一対の手すりは、手すり本体と、前記手すり本体を支持する支持部と、を有し、前記連結部は、前記一対の手すりの前記支持部の上方かつ前記支持部の前端よりも後方に位置し、前記一対の手すり同士を連結することを特徴とするライニングユニットである。
【００１１】
このライニングユニットによれば、簡単な構造でより適切な強度を確保することができる。
【００１２】
第３の発明は、第１又は第２の発明において、前記一対の縦フレームは、前記一対の手すりの一方を取り付けるための手すり取付部と、前記前面板を前記フレーム本体に対して着脱可能に支持する前面板支持部と、を有し、前記前面板支持部は、前記手すり取付部の側方に設けられることを特徴とするライニングユニットである。
【００１３】
このライニングユニットによれば、前面板支持部を手すり取付部の側方に設けることにより、前面板支持部の上下方向の位置が手すり取付部の上下方向の位置と重なった場合にも、前面板支持部と手すり取付部とを適切に縦フレームに設けることができる。例えば、一対の手すりをライニングユニットに設けた場合にも、手すり取付部などが前面板に干渉し、前面板の着脱の妨げとなってしまうことなどを抑制することができる。
【００１４】
第４の発明は、第１〜第３のいずれか１つの発明において、前記一対の縦フレームは、前記一対の手すりの一方を取り付けるための取付面を有する手すり取付部を有し、前記一対の手すりは、前記一対の縦フレームの前記手すり取付部に取り付けられる台座部を有し、前記台座部の下端は、前記手すり取付部の前記取付面の下端よりも上方に位置することを特徴とするライニングユニットである。
【００１５】
下方に押し付ける荷重が手すりにかかった場合などには、台座部の下端に強い力が加わることが考えられる。このライニングユニットによれば、台座部の下端が、手すり取付部の取付面の下端よりも上方に位置することにより、台座部の下端にかかる力を取付面で適切に受けることができる。従って、ライニングユニットにおいて、より適切な強度を確保することができる。
【００１６】
第５の発明は、第３又は第４の発明において、前記一対の縦フレームは、縦フレーム本体と誤組抑制部とを、さらに有し、前記手すり取付部は、前記縦フレーム本体に取り付けられ、前記誤組抑制部は、正しい向きにおける前記手すり取付部の前記縦フレーム本体への取り付けを許容し、前記手すり取付部と干渉することによって誤った向きにおける前記手すり取付部の前記縦フレーム本体への取り付けを抑制することを特徴とするライニングユニットである。
【００１７】
このライニングユニットによれば、手すり取付部が誤った向きで縦フレーム本体に取り付けられ、手すりが手すり取付部に取り付けられなくなることを抑制できる。
【発明の効果】
【００１８】
本発明の態様によれば、手すりを設けた場合にも簡単な構造で適切な強度を確保できるライニングユニットが提供される。
【図面の簡単な説明】
【００１９】
【図１】第１の実施形態に係るトイレユニットを模式的に表す斜視図である。
【図２】第１の実施形態に係るライニングユニットを模式的に表す分解斜視図である。
【図３】第１の実施形態に係るフレーム本体を模式的に表す斜視図である。
【図４】第１の実施形態に係るライニングユニットの一部を模式的に表す部分断面図である。
【図５】第１の実施形態に係るライニングユニットの一部を模式的に表す部分側面図である。
【図６】第１の実施形態に係るライニングユニットの一部を模式的に表す部分正面図である。
【図７】第２の実施形態に係るライニングユニットの一部を模式的に表す部分斜視図である。
【図８】第２の実施形態に係るライニングユニットの一部を模式的に表す部分正面図である。
【図９】第２の実施形態に係るライニングユニットの一部を模式的に表す部分正面図であって、一対の手すり取り付け部が正しい向きで配置されている状態を表す図である。
【図１０】第２の実施形態に係るライニングユニットの一部を模式的に表す部分正面図であって、一対の手すり取り付け部が誤った向きで配置されている状態を表す図である。
【発明を実施するための形態】
【００２０】
以下、本発明の実施の形態について図面を参照しつつ説明する。なお、各図面中、同様の構成要素には同一の符号を付して詳細な説明は適宜省略する。
【００２１】
（第１の実施形態）
図１は、実施形態に係るトイレユニットを模式的に表す斜視図である。
図１に表したように、トイレユニット２は、大便器４と、衛生洗浄装置６（便座装置）と、ライニングユニット１０と、を備える。大便器４は、使用者が腰掛けた状態で用を足すことができる腰掛け式の便器である。大便器４は、換言すれば、洋式腰掛便器である。
【００２２】
衛生洗浄装置６は、大便器４の上に取り付けられる。衛生洗浄装置６は、大便器４の上に載置される便座を有する。衛生洗浄装置６は、便座を介して大便器４に腰掛けた使用者の「おしり」などの局部を洗浄する局部洗浄機能を有する。この例では、大便器４の上に取り付けられる便座装置の一例として、衛生洗浄装置６を表している。便座装置は、これに限ることなく、例えば、便座を温める暖房機能を有する暖房便座装置や、衛生洗浄機能や暖房機能などの機能を有しない普通便座等でもよい。便座装置は、少なくとも使用者が着座可能な便座を有する任意の装置でよい。
【００２３】
ライニングユニット１０は、大便器４の後方に設置して使用される。ライニングユニット１０は、大便器４に接続される給水管やタンクなどを覆い隠すことにより、トイレ室（トイレブース）の美観を向上させる。また、ライニングユニット１０は、例えば、大便器４を支持する支持機構を覆い隠す。大便器４は、ライニングユニット１０の前面に取り付けられる、いわゆる壁掛け式の便器である。大便器４は、壁掛け式に限ることなく、床置き式の便器でもよい。
【００２４】
ここで、本願明細書においては、ライニングユニット１０に背を向けて大便器４に腰掛けた使用者からみた上方、下方、前方、後方、右側方、及び左側方を、それぞれ「上方」、「下方」、「前方」、「後方」、「右側方」、及び「左側方」とする。
【００２５】
図２は、実施形態に係るライニングユニットを模式的に表す分解斜視図である。  
図２に表したように、ライニングユニット１０は、フレーム本体１２と、一対の縦フレーム１４と、前面板２１〜２４と、天板２６と、一対の化粧板２８と、一対の手すり３０と、連結部４０と、を備える。
【００２６】
フレーム本体１２は、矩形状の前面部１２ａと、矩形状の上面部１２ｂと、を有する。前面部１２ａ及び上面部１２ｂは、例えば、４つの直線状のフレームを枠状に組み合わせることによって形成される。前面部１２ａ及び上面部１２ｂは、換言すれば、略矩形の枠状である。
【００２７】
フレーム本体１２は、トイレ室の床面及び壁面に固定される。ライニングユニット１０は、トイレ室の壁面に隣接して略矩形の箱状に設けられ、内部の空間に給水管やタンクなどを収納可能とする。ライニングユニット１０は、例えば、開閉可能な扉などを設けることにより、内部の空間にトイレットペーパーなどの物品を収納可能としてもよい。
【００２８】
一対の縦フレーム１４は、フレーム本体１２の前面部１２ａに設けられる。一対の縦フレーム１４は、上下方向に延び、左右方向に並ぶ。一対の縦フレーム１４は、縦フレーム本体１４ａを有する。縦フレーム本体１４ａは、上下方向に延びる。一対の縦フレーム１４において、一対の縦フレーム本体１４ａは、上下方向に延び、左右方向に並ぶ。
【００２９】
前面板２１〜２４は、フレーム本体１２の前面部１２ａを覆う。ライニングユニット１０では、４つの前面板２１〜２４によって前面部１２ａの略全体を覆う。前面板２１〜２３は、前面部１２ａの上方の部分を覆う。前面板２１〜２３は、換言すれば、上部前面板である。
【００３０】
前面板２１は、前面部１２ａの上部中央を覆う。前面板２２、２３は、前面部１２ａの上部において前面板２１の両側方の部分を覆う。換言すれば、前面板２１は、前面部１２ａの一対の縦フレーム１４の間の部分を覆う。前面板２２は、一対の縦フレーム１４の一方と前面部１２ａの一方の側端との間の部分を覆う。前面板２３は、一対の縦フレーム１４の他方と前面部１２ａの他方の側端との間の部分を覆う。
【００３１】
前面板２４は、前面部１２ａの下方の部分を覆う。前面板２４は、換言すれば、下部前面板である。前面板２４には、例えば、大便器４の給水管や排水管を通すための開口２４ａが設けられる。
【００３２】
天板２６は、フレーム本体１２の上面部１２ｂを覆う。これにより、前面板２１〜２４と天板２６とによって、フレーム本体１２の前方及び上方への露出が抑制される。従って、ライニングユニット１０では、高い美観を得られるとともに、通常の清掃においては、前面板２１〜２４と天板２６との表面を拭けばよく、高い清掃性を得ることができる。
【００３３】
ライニングユニット１０は、例えば、フレーム本体１２の側方を覆う側板をさらに備えてもよい。これにより、より高い美観と清掃性とを得ることができる。例えば、建築の壁面などによってフレーム本体１２の側方が覆われる場合などには、側板は不要である。
【００３４】
一対の化粧板２８は、例えば、フレーム本体１２の前面部１２ａの両側端に設けられる。化粧板２８は、前面部１２ａの側端からの左右方向への突出量を調整可能にフレーム本体１２に取り付けられる。これにより、化粧板２８は、例えば、フレーム本体１２と建築の壁面との間に隙間が生じてしまうことを抑制する。このように、化粧板２８を設けることにより、ライニングユニット１０の美観をより高めることができる。
【００３５】
また、一対の手すり３０を備えるライニングユニット１０では、例えば、建築の壁面に取り付けられた紙巻器などと手すり３０との間に所定の間隔を設ける必要がある。このような場合には、紙巻器などとの間に適切な間隔を得られるようにフレーム本体１２の左右方向の位置を調整しつつ、フレーム本体１２と建築の壁面などとの間に空く隙間を化粧板２８によって塞ぐ。これにより、一対の手すり３０を備えるライニングユニット１０において、紙巻器などとの間に適切な間隔を設定しつつ、建築の壁面などとの間に隙間が空くことを抑制し、高い美観を得ることができる。
【００３６】
一対の手すり３０は、一対の縦フレーム１４に取り付けられ、大便器４の両側方に位置するようにフレーム本体１２の前方に設けられる。これにより、ライニングユニット１０では、使用者の大便器４への着座の動作及び大便器４からの立上りの動作を一対の手すり３０によって補助することができる。
【００３７】
一対の手すり３０は、手すり本体３２と、手すり本体３２を支持する支持部３４と、を有する。支持部３４は、例えば、手すり本体３２の後端部分を回動可能に支持する。支持部３４は、例えば、手すり本体３２を略水平にし、使用者の支持を可能とする位置（図１及び図２に表した位置）と、手すり本体３２を略垂直にし、手すり本体３２を大便器４から上方に退避させた位置と、の間で、手すり本体３２を回動可能に軸支する。
【００３８】
連結部４０は、一対の縦フレーム１４の間を連結する。連結部４０は、例えば、一対の縦フレーム１４の間を連結することにより、一対の縦フレーム１４の間を補強する。
【００３９】
図３は、実施形態に係るフレーム本体を模式的に表す斜視図である。  
図３に表したように、一対の縦フレーム１４は、手すり取付部５０と、前面板支持部５１〜５４と、を有する。
【００４０】
手すり取付部５０は、一対の手すり３０の一方を取り付けるための部材である。一対の手すり３０は、手すり取付部５０を介して一対の縦フレーム本体１４ａに取り付けられる。一対の手すり３０は、例えば、ネジ止めによって手すり取付部５０に取り付けられる。
【００４１】
手すり取付部５０は、例えば、縦フレーム本体１４ａとは別の部材として成形され、ネジ止めなどによって縦フレーム本体１４ａに取り付けられる。これに限ることなく、手すり取付部５０は、縦フレーム本体１４ａと一体的に設けてもよい。
【００４２】
前面板支持部５１〜５４は、前面板２１〜２４の取り付けに用いられる。前面板支持部５３、５４は、前面板２４を支持する。前面板２４は、例えば、フック状の係合部を前面板支持部５３、５４に係合させることにより、フレーム本体１２に取り付けられる。前面板支持部５３は、前面板２４の上部に設けられた係合部と係合することにより、前面板２４の上部の下方への移動及び前方への移動を規制する。前面板支持部５４は、前面板２４の下部に設けられた係合部と係合することにより、前面板２４の下部の前方への移動を規制する。これにより、前面板支持部５３、５４と各係合部との係合によって、前面板２４が、フレーム本体１２に取り付けられる。
【００４３】
また、前面板２４では、例えば、ネジなどを用いた調整機構によって前面板支持部５３と係合部との高さ方向の位置を調整することにより、前面板２４の高さ方向の位置や傾きなどを調整することができる。前面板２１〜２３は、高さ方向の位置や傾きが調整された前面板２４の上に載ることにより、前面板２４に従って高さ方向の位置や傾きが調整される。
【００４４】
前面板２１は、例えば、前面板２４の上に載った状態で、フック状の係合部を前面板支持部５１、５２に係合させることにより、フレーム本体１２に着脱可能に取り付けられる。前面板支持部５１は、前面板２１の上部に設けられた係合部と係合することにより、前面板２１の上部の前方への移動を規制する。前面板支持部５２は、前面板２１の下部に設けられた係合部と係合することにより、前面板２１の下部の前方への移動を規制する。これにより、前面板支持部５１、５２と各係合部との係合によって、前面板２１が、フレーム本体１２に着脱可能に取り付けられる。前面板２１は、例えば、上方に引き上げ、各係合部と前面板支持部５１、５２との係合状態を解除することにより、フレーム本体１２から取り外すことができる。
【００４５】
このように、前面板支持部５１、５２は、前面板２１をフレーム本体１２に対して着脱可能に支持する。この際、前面板２１の下端付近は、手すり取付部５０の位置と重なってしまう。このように、フレーム本体１２の前面部１２ａを２つの前面板２１、２４で上下に分けて覆う場合、上方に位置する前面板２１の下端付近は、手すり取付部５０の位置と重なってしまう可能性がある。このため、前面板支持部５２は、手すり取付部５０の側方に設けられる。
【００４６】
例えば、一対の縦フレーム１４の間の部分を前面板２１で覆う場合、一対の縦フレーム１４の間の空間に向かうように、前面板支持部５２を手すり取付部５０から側方に延ばす。これにより、前面板２１と手すり取付部５０などとの干渉を抑制し、前面板支持部５２によって適切に前面板２１を着脱可能に支持することができる。
【００４７】
前面板２２、２３は、例えば、前面板２４の上に載った状態で、手すり３０と手すり取付部５０との間に挟み込まれることにより、フレーム本体１２に取り付けられる。
【００４８】
このため、前面板２２、２３には、ネジなどを挿通するための複数の貫通孔２２ａ、２３ａが設けられている。この際、貫通孔２２ａ、２３ａは、挿通されるネジなどの径よりも大きく形成される。これにより、例えば、貫通孔２２ａ、２３ａと手すり取付部５０のネジ孔などとの位置合わせをし易くすることができる。換言すれば、前面板２４の高さ調整などによって貫通孔２２ａ、２３ａの位置が変化した場合にも、貫通孔２２ａ、２３ａと手すり取付部５０のネジ孔などとの位置が合わなくなってしまうことを抑制することができる。
【００４９】
図４は、実施形態に係るライニングユニットの一部を模式的に表す部分断面図である。  図４に表したように、手すり取付部５０は、例えば、凸状に折り曲げられた板状であり、平板部５０ａと、一対の脚部５０ｂと、を有する。平板部５０ａは、例えば、上下方向に延びる略矩形の平板状である。一対の脚部５０ｂは、平板部５０ａの上下方向の両端に設けられ、平板部５０ａよりも後方に延びる。手すり取付部５０は、一対の脚部５０ｂを介して縦フレーム本体１４ａの前面に取り付けられる。このため、平板部５０ａは、縦フレーム本体１４ａの前面よりも前方に離間して配置され、縦フレーム本体１４ａの前面との間に空間を設ける。
【００５０】
前面板支持部５２は、平板部５０ａと縦フレーム本体１４ａの前面との間の空間内において、縦フレーム本体１４ａの前面に取り付けられる。このように、前面板支持部５２は、手すり取付部５０の側方に設けられるとともに、手すり取付部５０の後方に設けられる。より詳しくは、前面板支持部５２は、手すり取付部５０の平板部５０ａの後方において、縦フレーム本体１４ａの前面に取り付けられる。
【００５１】
手すり取付部５０は、一対の手すり３０の一方を取り付けるための取付面５０ｃを有する。取付面５０ｃは、換言すれば、平板部５０ａの前面である。
【００５２】
一対の手すり３０は、一対の縦フレーム１４の手すり取付部５０に取り付けられる台座部３６と、台座部３６を覆い隠す台座カバー３８と、を有する。支持部３４は、台座部３６に固定されている。あるいは、支持部３４は、台座部３６と一体に設けられている。
【００５３】
図４に表したように、一対の手すり３０は、例えば、前面板２２、２３の前方から台座部３６を手すり取付部５０と対向させ、ネジなどの固定部材５８を台座部３６、前面板２２、２３、及び手すり取付部５０に挿通し、台座部３６を前方から手すり取付部５０に固定する。固定部材５８は、例えば、複数設けられる。これにより、一対の手すり３０が、一対の縦フレーム１４に取り付けられる。
【００５４】
台座カバー３８は、支持部３４を挿通するための開口３８ａを有する。台座カバー３８は、開口３８ａに支持部３４を挿通した状態で、台座部３６及び固定部材５８を覆い隠す。これにより、台座部３６及び固定部材５８の露出を抑制し、ライニングユニット１０の美観を向上させることができる。
【００５５】
図５は、実施形態に係るライニングユニットの一部を模式的に表す部分側面図である。  図５に表したように、連結部４０は、一対の手すり３０の支持部３４の上方かつ支持部３４の前端３４ａよりも後方に位置している。これにより、連結部４０は、一対の手すり３０同士を連結する。なお、図５では、便宜的に、手すり本体３２の図示を省略した状態を模式的に表している。
【００５６】
連結部４０は、例えば、一対の手すり３０の手すり本体３２同士を連結する。連結部４０は、例えば、一対の手すり３０の手すり本体３２同士を連結するとともに、手すり本体３２を回動可能に軸支する。換言すれば、手すり本体３２は、連結部４０の両端に回動可能に取り付けられる。連結部４０は、例えば、手すり本体３２の回転軸を形成する。支持部３４は、連結部４０を支持することにより、連結部４０を介して手すり本体３２を回動可能に軸支する。但し、連結部４０の構成は、これに限定されるものではない。連結部４０は、例えば、支持部３４同士を連結する構成などでもよい。
【００５７】
このように、連結部４０は、一対の手すり３０同士を連結する。このため、連結部４０は、フレーム本体１２よりも前方に設けられる。連結部４０は、例えば、大便器４のボウル部４ａよりも後方において大便器４の上方に配置される。これにより、連結部４０に背もたれ４２を取り付けることが可能になる。背もたれ４２は、大便器４に腰掛けた使用者の背中を支える。これにより、ライニングユニット１０の利便性をより高めることができる。
【００５８】
図６は、実施形態に係るライニングユニットの一部を模式的に表す部分正面図である。  図６では、手すり本体３２及び台座カバー３８を省略した状態を模式的に表している。  図６に表したように、台座部３６の下端３６ａは、手すり取付部５０の取付面５０ｃの下端５０ｄよりも上方に位置する。また、図６に表したように、台座部３６の左右方向の幅Ｗ１は、手すり取付部５０の取付面５０ｃの左右方向の幅Ｗ２よりも狭い。台座部３６の左右方向の端部は、手すり取付部５０の取付面５０ｃの左右方向の端部の内側に位置する。
【００５９】
以上、説明したように、本実施形態にかかるライニングユニット１０では、一対の縦フレーム１４の間を連結する連結部４０を備えたことにより、１つの手すり３０にかかる荷重を連結部４０を介して一対の縦フレーム１４に分散させて受けることができる。これにより、１つの手すりにかかる荷重を１つのフレームで受ける場合などと比べて、縦フレーム１４などの構成を簡単にしつつ、適切な強度を確保することができる。従って、手すり３０を設けた場合にも簡単な構造で適切な強度を確保できるライニングユニット１０を提供することができる。また、フレーム本体１２の前面部１２ａを覆う前面板２１〜２４を備えているため、美観の低下や清掃性の低下も抑制することができる。
【００６０】
また、ライニングユニット１０では、連結部４０が、一対の手すり３０の支持部３４の上方かつ支持部３４の前端３４ａよりも後方に位置し、一対の手すり３０同士を連結する。これにより、簡単な構造でより適切な強度を確保することができる。但し、連結部４０は、例えば、一対の縦フレーム１４同士を連結する構成などでもよい。
【００６１】
また、ライニングユニット１０では、前面板支持部５２を手すり取付部５０の側方に設けることにより、前面板支持部５２の上下方向の位置が手すり取付部５０の上下方向の位置と重なった場合にも、前面板支持部５２と手すり取付部５０とを適切に縦フレーム１４に設けることができる。例えば、一対の手すり３０をライニングユニット１０に設けた場合にも、手すり取付部５０などが前面板２１に干渉し、前面板２１の着脱の妨げとなってしまうことなどを抑制することができる。
【００６２】
下方に押し付ける荷重が手すり３０にかかった場合などには、台座部３６の下端３６ａに強い力が加わることが考えられる。ライニングユニット１０では、台座部３６の下端３６ａが、手すり取付部５０の取付面５０ｃの下端５０ｄよりも上方に位置することにより、台座部３６の下端３６ａにかかる力を取付面５０ｃで適切に受けることができる。従って、ライニングユニット１０において、より適切な強度を確保することができる。
【００６３】
また、台座部３６の左右方向の幅Ｗ１を、手すり取付部５０の取付面５０ｃの左右方向の幅Ｗ２よりも狭くし、台座部３６の左右方向の端部を、手すり取付部５０の取付面５０ｃの左右方向の端部の内側に位置させることにより、台座部３６にかかる力を取付面５０ｃでより適切に受けることができる。
【００６４】
（第２の実施形態）
図７は、実施形態に係るライニングユニットの一部を模式的に表す部分斜視図である。
図７に表したように、ライニングユニット１１０は、手すり取付部１５０及び前面板支持部１５２の構成において、上記第１の実施形態に係るライニングユニット１０と相違する。なお、上記第１の実施形態に関して説明したライニングユニット１０と機能・構成上実質的に同じものについては、同符号を付し、詳細な説明は省略する。
【００６５】
手すり取付部１５０は、一対の手すり３０の一方を取り付けるための部材である。一対の手すり３０の台座部３６は、手すり取付部１５０を介して一対の縦フレーム本体１４ａに取り付けられる。手すり取付部１５０は、縦フレーム本体１４ａとは別の部材として成形される。
【００６６】
図８は実施形態に係るライニングユニットの一部を模式的に表す部分正面図である。
図７及び図８に表したように、手すり取付部１５０は、例えば、凸状に折り曲げられた板状である。手すり取付部１５０は、平板部１５３と、一対の脚部１５４ａ、１５４ｂと、一対の突起１５５ａ、１５５ｂと、を有する。
【００６７】
平板部１５３の形状は、台座部３６を取り付けるための複数の貫通孔１５３ａが設けられる位置を除いて、第１実施形態に係る平板部５０ａの形状と同様である。一対の脚部１５４ａ、１５４ｂの形状は、手すり取付部１５０を縦フレーム本体１４ａに取り付けるための複数の貫通孔１５４ｃが設けられる位置を除いて、第１実施形態に係る一対の脚部５０ｂの形状と同様である。
【００６８】
一対の脚部１５４ａ、１５４ｂにおいて複数の貫通孔１５４ｃは、上下方向に並ぶように設けられている。一対の脚部１５４ａ、１５４ｂにおいて複数の貫通孔１５４ｃは、一対の脚部１５４ａ、１５４ｂの左右方向の中心よりも一対の縦フレーム本体１４ａの間の部分側に偏っている。ネジ等の固定部材１４ｂを、脚部１５４ａ、１５４ｂの貫通孔１５４ｃ及び縦フレーム本体１４ａに挿通させることで、手すり取付部１５０を縦フレーム本体１４ａに固定できる。
【００６９】
なお、以下の説明では、貫通孔１５４ｃの中心を通って、上下方向に延びる軸を「取付軸Ｃ１」とする。そして、手すり取付部１５０の左右方向において取付軸Ｃ１よりも、一対の縦フレーム本体１４ａの間の部分側を「内方側Ｄ１」とし、その反対側を「外方側Ｄ２」とする。
【００７０】
平板部１５３において複数の貫通孔１５３ａは、左右及び上下に並ぶように設けられている。ネジ等の固定部材を、台座部３６及び平板部１５３の貫通孔１５３ａ等に挿通させることで、手すり３０の台座部３６を縦フレーム１４に固定できる。なお、一対の台座部３６が一対の縦フレーム１４に固定された状態で、一対の手すり本体３２を支持する一対の支持部３４（図２参照）を、一対の台座部３６に固定してもよい。また、一対の台座部３６に一対の支持部３４が固定された状態で、一対の台座部３６を一対の縦フレーム１４に固定してもよい。
【００７１】
一対の手すり取付部１５０の左右方向の距離は、一対の手すり３０が一対の手すり取付部１５０に取付けられるように、適切な距離に設定される。そして、一対の縦フレーム本体１４ａの左右方向の距離、及び、縦フレーム本体１４ａと手すり取付部１５０との左右方向の相対的な位置関係によっては、平板部１５３において左右に並ぶ一対の貫通孔１５３ａの中心を、取付軸Ｃ１に対して外方側Ｄ２に（又は内方側Ｄ１に）偏らせる必要がある。換言すれば、手すり取付部１５０に設けられた複数の貫通孔１５３ａは、取付軸Ｃ１に対して左右非対称となるように設けられる場合がある。
【００７２】
図９は、実施形態に係るライニングユニットの一部を模式的に表す部分正面図であって、一対の手すり取り付け部が正しい向きで配置されている状態を示す図である。
図１０は、実施形態に係るライニングユニットの一部を模式的に表す部分正面図であって、一対の手すり取り付け部が誤った向きで配置されている状態を示す図である。
以下の説明では、図９に表したように、複数の貫通孔１５３ａが取付軸Ｃ１に対して外方側Ｄ２に偏っている状態で、一対の手すり３０を一対の手すり取付部１５０に適切に取り付けることができる形態を一例として、手すり取付部１５０の構造を詳述する。
【００７３】
なお、以下の説明では、図９に表したように左右に並ぶ一対の貫通孔１５３ａの中心が取付軸Ｃ１に対して外方側Ｄ２に偏るような手すり取付部１５０の向きを「正しい向き」という。複数の貫通孔１５４ｃは、上下の両方の脚部１５４ａ、１５４ｂに設けられている。このため、図１０に表したように、手すり取付部１５０を縦フレーム本体１４ａに取り付ける際に、作業者が、正しい向きに対して上下を逆転させた向きで手すり取付部１５０を縦フレーム本体１４ａに取り付けようとする可能性がある。以下、正しい向きに対して上下が逆転するような手すり取付部１５０の向きを「誤った向き」という。換言すれば、誤った向きとは正しい向きの手すり取付部１５０を前後方向と直交する平面上で１８０度回転させた向きである。
【００７４】
図９に表したように、一対の手すり取付部１５０が正しい向きで取り付けられた場合、右側方の手すり取付部１５０に設けられた貫通孔１５３ａの中心と左側方の手すり取付部１５０に設けられた貫通孔１５３ａの中心の最短距離Ｌ１は、一対の手すり３０を取り付け可能な距離に設定されている。図１０に表すように、少なくとも一方の手すり取付部１５０が誤った向きで縦フレーム本体１４ａに配置された場合、右側方の手すり取付部１５０に設けられた貫通孔１５３ａの中心と左側方の手すり取付部１５０に設けられた貫通孔１５３ａの中心の最短距離Ｌ２は、正しい向きにおける最短距離Ｌ１よりも短くなる。そのため、一対の手すり取付部１５０に対して一対の手すり３０を取り付けることができなくなる。
【００７５】
より詳しくは、例えば、少なくとも一方の手すり取付部１５０が誤った向きで縦フレーム本体１４ａに配置された場合において、台座部３６を先に手すり取付部１５０に取り付けるとき、台座部３６は、手すり取付部１５０に取り付けることができるが、台座部３６と支持部３４の固定位置が一致せず、手すり３０を取り付けることができなくなる。
また、例えば、少なくとも一方の手すり取付部１５０が誤った向きで縦フレーム本体１４ａに配置された場合において、支持部３４と台座部３６が固定された状態で、手すり３０を手すり取付部１５０に取り付けるとき、台座部３６と手すり取付部１５０の固定位置が一致せず、手すり３０を取り付けることができなくなる。
【００７６】
突起１５５ａは、上記のような誤った向きでの縦フレーム本体１４ａへの取り付けを抑制するために、手すり取付部１５０に設けられている。図９に表すように、突起１５５ａは、手すり取付部１５０が正しい向きで縦フレーム本体１４ａに取り付けられた状態では、ライニングユニット１０の他の構成要素と干渉しない位置に位置する。具体的には、手すり取付部１５０が正しい向きの状態では、突起１５５ａは、上方の脚部１５４ａにおける左右方向の外方側Ｄ２の端部から上方に向かって突出している。
【００７７】
図１０に表すように、突起１５５ａは、手すり取付部１５０が誤った向きで縦フレーム本体１４ａに配置された状態では、例えば、ライニングユニット１０の前面板支持部５３と干渉する位置に位置する。具体的には、前面板支持部５３は、前面板支持部５３の左右方向の中心が取付軸Ｃ１よりも内方側Ｄ１に位置するように配置されている。手すり取付部１５０が誤った向きで縦フレーム本体１４ａに配置された状態では、脚部１５４ａ及び突起１５５ａは下方に位置する。突起１５５ａは、手すり取付部１５０が誤った向きで縦フレーム本体１４ａに配置された状態では、前面板支持部５３の内方側Ｄ１の上端部と干渉するような位置まで突出している。
【００７８】
このように、手すり取付部１５０が誤った向きで縦フレーム本体１４ａに配置された場合、突起１５５ａが前面板支持部５３と物理的に接触し、手すり取付部１５０が縦フレーム本体１４ａに取り付けられることを妨げる。これによって、手すり取付部１５０が誤った向きで縦フレーム本体１４ａに取り付けられることを抑制できる。すなわち、この例では、前面板支持部５３が、正しい向きにおける手すり取付部１５０の縦フレーム本体１４ａへの取り付けを許容し、手すり取付部１５０と干渉することによって誤った向きにおける手すり取付部１５０の縦フレーム本体１４ａへの取り付けを抑制する誤組抑制部として機能する。
【００７９】
手すり取付部１５０には、さらに突起１５５ｂが設けられている。手すり取付部１５０が正しい向きの状態では、突起１５５ｂは、下方の脚部１５４ｂにおける左右方向の外方側Ｄ２の端部から下方に向かって突出している。手すり取付部１５０が正しい向きで縦フレーム本体１４ａに取り付けられた状態では、突起１５５ｂは、前面板支持部５３から離間している。突起１５５ｂの突出量は、突起１５５ａの突出量と、略同一である。このように、手すり取付部１５０の形状は、上下対称である。したがって、右側方に配置される手すり取付部１５０の形状と、左側方に配置される手すり取付部１５０の形状を同一とすることができる。このように、右側方及び左側方の手すり取付部１５０の形状を共通化することで、手すり取付部１５０を製造する際の手間やコストを低減できる。
【００８０】
図７に表したように、前面板支持部１５２は、手すり取付部１５０と縦フレーム本体１４ａの間の空間において、縦フレーム本体１４ａの前面に取り付けられる。前面板支持部１５２は、前面板２１の下部に設けられた係合部と係合することにより、前面板２１の下部の前方への移動を規制する。
【００８１】
図８に表したように、前面板支持部１５２は、手すり取付部１５０の両側方から突出するように設けられる。このように、前面板支持部１５２が手すり取付部１５０の両側方から突出するように設けられている場合も、前面板２１を前面板支持部１５２に係合させる際に前面板２１と手すり取付部５０が干渉することを抑制できる。
【００８２】
以上、説明したように、本実施形態にかかるライニングユニット１１０は、一対の縦フレーム１４は、縦フレーム本体１４ａと誤組抑制部として機能する前面板支持部５３を有する。手すり取付部１５０は、縦フレーム本体１４ａに取り付けられる。前面板支持部５３は、正しい向きにおける手すり取付部１５０の縦フレーム本体１４ａへの取り付けを許容する。前面板支持部５３は、手すり取付部１５０と干渉することによって誤った向きにおける手すり取付部１５０の縦フレーム本体１４ａへの取り付けを抑制する。このように、手すり取付部１５０が誤った向きで取り付けられようとした場合、手すり取付部１５０が前面板支持部５３と物理的に接触する。これによって、例えば、取り付けの向きを示す目印などを設けて誤った向きでの組み付けを抑制する場合などと比べて、手すり取付部１５０が誤った向きで取り付けられることをより確実に抑制できる。
【００８３】
なお、手すり取付部１５０は、必ずしも突起１５５ａを有しなくてもよい。例えば、上記と反対に、手すり取付部１５０には突起を設けず、前面板支持部５３に突起を設けてもよい。誤った向きで手すり取付部１５０を縦フレーム本体１４ａに取り付けようとした際に、手すり取付部１５０が、前面板支持部５３に設けられた突起と干渉することにより、誤った向きでの組み付けを抑制できるようにしてもよい。
【００８４】
また、上記実施形態では、前面板支持部５３を誤組抑制部として示している。誤組抑制部は、これに限ることなく、例えば、前面板支持部１５２や縦フレーム本体１４ａに設けられる他の部材などでもよい。誤組抑制部の構成は、正しい向きにおける手すり取付部１５０の縦フレーム本体１４ａへの取り付けを許容し、手すり取付部１５０と干渉することによって誤った向きにおける手すり取付部１５０の縦フレーム本体１４ａへの取り付けを抑制することが可能な任意の構成でよい。
【００８５】
また、上記実施形態では、右側方に配置される手すり取付部の形状と左側方に配置される手すり取付部の形状が同じである例を説明した。しかし、右側方に配置される手すり取付部の形状と左側方に配置される手すり取付部の形状は異なっていてもよい。
【００８６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレユニット２、ライニングユニット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８７】
２ トイレユニット、  ４ 大便器、  ６ 衛生洗浄装置、  １０、１１０ ライニングユニット、  １２ フレーム本体、  １２ａ 前面部、  １２ｂ 上面部、  １４ 縦フレーム、  ２１〜２４ 前面板、  ２６ 天板、  ２８ 化粧板、  ３０ 手すり、  ３２ 手すり本体、  ３４ 支持部、  ３６ 台座部、  ３８ 台座カバー、  ４０ 連結部、  ４２ 背もたれ、  ５０、１５０ 手すり取付部、  ５１〜５４、１５２ 前面板支持部、  ５８ 固定部材、  １５５ａ、１５５ｂ 突起
【図１】
2020036888.tif 000003
【図２】
2020036888.tif 000004
【図３】
2020036888.tif 000005
【図４】
2020036888.tif 000006
【図５】
2020036888.tif 000007
【図６】
2020036888.tif 000008
【図７】
2020036888.tif 000009
【図８】
2020036888.tif 000010
【図９】
2020036888.tif 000011
【図１０】
2020036888.tif 000012